(57)【要約】【課題】構成品および前記構成品からなる集合体を紐づけて管理できる構成品管理装置、構成品管理方法および構成品管理プログラムを提供することを課題とする。【解決手段】本実施形態では、集合体構成データとして、構成品についての集合体識別情報、集合体個別識別情報、構成品識別情報および構成品ロット識別情報を紐づけて記憶し、同一の集合体に含まれる前記構成品に対しては、同一の集合体識別情報および同一の集合体個別識別情報が付されており、前記集合体識別情報、前記集合体個別識別情報、前記構成品識別情報および前記構成品ロット識別情報の少なくとも１つを入力できる。【選択図】図１
2018116567.tif 000002
【特許請求の範囲】
【請求項１】
構成品を含む集合体の単位で、前記構成品を管理できる、制御部および記憶部を備える構成品管理装置であって、
前記記憶部には、
前記構成品についての集合体識別情報、集合体個別識別情報、構成品識別情報および構成品ロット識別情報を紐づけて記憶する集合体構成データが格納されており、
同一の集合体に含まれる前記構成品に対しては、同一の集合体識別情報および同一の集合体個別識別情報が付されており、
前記制御部は、
前記集合体識別情報、前記集合体個別識別情報、前記構成品識別情報および前記構成品ロット識別情報の少なくとも１つを入力するための入力手段
を備えること、
を特徴とする構成品管理装置。
【請求項２】
前記制御部は、
入力された集合体識別情報、前記入力された集合体識別情報と紐づく集合体個別識別情報、構成品識別情報および構成品ロット識別情報を含む貸出データを作成する貸出データ作成手段
を更に備えること、
を特徴とする請求項１に記載の構成品管理装置。
【請求項３】
前記制御部は、
前記集合体構成データを更新する更新手段
を更に備えること、
を特徴とする請求項１または２に記載の構成品管理装置。
【請求項４】
前記集合体が、医療用の箱であり、前記構成品が、前記医療用の箱中に収納される医療品であること、
を特徴とする請求項１から３のいずれか一つに記載の構成品管理装置。
【請求項５】
制御部および記憶部を備える情報処理装置で実行される、構成品を含む集合体の単位で、前記構成品を管理できる構成品管理方法であって、
前記記憶部には、
前記構成品についての集合体識別情報、集合体個別識別情報、構成品識別情報および構成品ロット識別情報を紐づけて記憶する集合体構成データが格納されており、
同一の集合体に含まれる前記構成品に対しては、同一の集合体識別情報および同一の集合体個別識別情報が付されており、
前記制御部で実行される、
前記集合体識別情報、前記集合体個別識別情報、前記構成品識別情報および前記構成品ロット識別情報の少なくとも１つを入力するための入力ステップ
を含むこと、
を特徴とする構成品管理方法。
【請求項６】
制御部および記憶部を備える情報処理装置に実行させるための、構成品を含む集合体の単位で、前記構成品を管理できる構成品管理プログラムであって、
前記記憶部には、
前記構成品についての集合体識別情報、集合体個別識別情報、構成品識別情報および構成品ロット識別情報を紐づけて記憶する集合体構成データが格納されており、
同一の集合体に含まれる前記構成品に対しては、同一の集合体識別情報および同一の集合体個別識別情報が付されており、
前記制御部に実行させるための、
前記集合体識別情報、前記集合体個別識別情報、前記構成品識別情報および前記構成品ロット識別情報の少なくとも１つを入力するための入力ステップ
を含むこと、
を特徴とする構成品管理プログラム。
【発明の詳細な説明】
【技術分野】
【０００１】
本発明は、構成品管理装置、構成品管理方法および構成品管理プログラムに関する。
【背景技術】
【０００２】
特許文献１には、医療品を提供するメーカと、メーカから医療品を提供される販社と、販社から製品を提供される病院とから、通信ネットワークを介して医療品のトレース情報をムーズに取得することのできる情報処理システム、情報処理サーバ及び情報処理プログラムが開示されている（０００８段落等参照。）
【先行技術文献】
【特許文献】
【０００３】
【特許文献１】特開２００５−３３５９２６号公報
【発明の概要】
【発明が解決しようとする課題】
【０００４】
このような、物品のトレース管理（特に医薬品管理）の分野においては、構成品（例えば、個々の医薬品や医療用工具）と、前記構成品を含む集合体（例えば、医療用の箱）と、を別々に管理するのではなく、前記構成品のトレース管理をしやすいように、両者を紐づけて管理できる方法が求められている。
【０００５】
本発明は、上記に鑑みてなされたものであって、構成品および前記構成品からなる集合体を紐づけて管理できる構成品管理装置、構成品管理方法および構成品管理プログラムを提供する。
【課題を解決するための手段】
【０００６】
上述した課題を解決し、目的を達成するために、本発明に係る構成品管理装置は、構成品を含む集合体の単位で、前記構成品を管理できる、制御部および記憶部を備える構成品管理装置であって、前記記憶部には、前記構成品についての集合体識別情報、集合体個別識別情報、構成品識別情報および構成品ロット識別情報を紐づけて記憶する集合体構成データが格納されており、同一の集合体に含まれる前記構成品に対しては、同一の集合体識別情報および同一の集合体個別識別情報が付されており、前記制御部は、前記集合体識別情報、前記集合体個別識別情報、前記構成品識別情報および前記構成品ロット識別情報の少なくとも１つを入力するための入力手段を備えること、を特徴とする。
【０００７】
また、本発明に係る構成品管理装置は、前記制御部が、入力された集合体識別情報、前記入力された集合体識別情報と紐づく集合体個別識別情報、構成品識別情報および構成品ロット識別情報を含む貸出データを作成する貸出データ作成手段を更に備えること、を特徴とする。
【０００８】
また、本発明に係る構成品管理装置は、前記制御部が、前記集合体構成データを更新する更新手段を更に備えること、を特徴とする。
【０００９】
また、本発明に係る構成品管理装置は、前記集合体が、医療用の箱であり、前記構成品が、前記医療用の箱中に収納される医療品であること、を特徴とする。
【００１０】
また、本発明に係る構成品管理方法は、制御部および記憶部を備える情報処理装置で実行される、構成品を含む集合体の単位で、前記構成品を管理できる構成品管理方法であって、前記記憶部には、前記構成品についての集合体識別情報、集合体個別識別情報、構成品識別情報および構成品ロット識別情報を紐づけて記憶する集合体構成データが格納されており、同一の集合体に含まれる前記構成品に対しては、同一の集合体識別情報および同一の集合体個別識別情報が付されており、前記制御部で実行される、前記集合体識別情報、前記集合体個別識別情報、前記構成品識別情報および前記構成品ロット識別情報の少なくとも１つを入力するための入力ステップを含むこと、を特徴とする。
【００１１】
また、本発明に係る構成品管理プログラムは、制御部および記憶部を備える情報処理装置に実行させるための、構成品を含む集合体の単位で、前記構成品を管理できる構成品管理プログラムであって、前記記憶部には、前記構成品についての集合体識別情報、集合体個別識別情報、構成品識別情報および構成品ロット識別情報を紐づけて記憶する集合体構成データが格納されており、同一の集合体に含まれる前記構成品に対しては、同一の集合体識別情報および同一の集合体個別識別情報が付されており、前記制御部に実行させるための、前記集合体識別情報、前記集合体個別識別情報、前記構成品識別情報および前記構成品ロット識別情報の少なくとも１つを入力するための入力ステップを含むこと、を特徴とする。
【発明の効果】
【００１２】
本発明によれば、構成品および前記構成品からなる集合体を紐づけて管理できるという効果を奏する。
【図面の簡単な説明】
【００１３】
【図１】図１は、構成品管理装置の構成の一例を示すブロック図である。
【図２】図２は、本実施形態に係る処理フローおよびテーブル構造の概略の一例を示す図である
【図３】図３は、本実施形態に係る処理フローおよびテーブル構造の概略の一例を示す図である。
【図４】図４は、貸出情報および在庫情報の一例を示す図である。
【図５】図５は、本実施形態に係る処理フローおよびテーブル構造の詳細の一例を示す図である。
【図６】図６は、本実施形態に係る処理フローおよびテーブル構造の詳細の一例を示す図である。
【図７】図７は、本実施形態に係る処理フローおよびテーブル構造の具体例の一例を示す図である。
【発明を実施するための形態】
【００１４】
以下に、本発明に係る構成品管理装置、構成品管理方法および構成品管理プログラムの実施形態を、図面に基づいて詳細に説明する。なお、本実施形態によりこの発明が限定されるものではない。
【００１５】
［１．概要］
医療機器業界、特に整形インプラントを取り扱っている企業においては、病院、ディーラー等に対して、症例毎のセット（サイズ別インプラント一式、工具等）を貸出し、使用結果に基づき売上計上をしている。前記症例毎のセットを、医療業界においては、箱（以下、単に「箱」という）と称している。箱の在庫管理および所在管理を行うことにより、緊急な手術の場合に箱を手配したり、箱を余剰貸出している施設から別の施設への振替をタイムリーに行うことができる。
【００１６】
ここで、箱について、詳細に説明する。箱が、例えば、症例「鎖骨骨折セット用ＢＯＸ（管理Ｎｏ．＝Ｓ−００１）」の箱である場合、箱の中身は、各種サイズのインプラント、ボルト、工具等となる。箱は、通常、症例ごとに何セットも用意されており（箱ごとにナンバリングしシリアル管理している）、箱に装填された構成商品は、在庫管理、ロット管理（トレーサビリティ）することが必要である。また、箱には、滅菌包装された商品が入っている箱と、滅菌されていない未滅菌の商品が入っている箱とが存在する。
【００１７】
箱貸出の流れとしては、（１）手術に応じた症例ごとに、箱が用意され貸出が行われ、（２）手術で使用した商品のみが売上計上される（すなわち、箱が返却されて、なくなっている構成商品が売上対象となる）。そして、（３）洗浄、使用がなされた構成商品については、新たな在庫を棚からもってきて箱に補充し、出荷用の新しい箱を完成させる。このように、緊急時等に即出荷できるように、基本的には、箱を予め準備しておく。なお、箱の貸出には、短期貸出と長期貸出とが存在する。短期貸出は、手術が決まっている場合に、その目的のために貸出し、手術が終われば箱は返却される。そして、箱の中の商品は補充されて、次の手術に備えられるという流れを繰り返す。長期貸出は、手術頻度の高い病院に対して、数セットの箱を長期間貸出したままにして、使用した商品のみ、補充をかける（すなわち、補充分のみ追加貸出する）。
【００１８】
ここで、箱は、単に器という考え方ではなく、症例に応じた構成品がすべて装填された１つの商品（ただし、貸出用であって売り物ではない）であり、実務上、病院等への出荷後に箱のみを追跡することにより、箱内の構成品の数量や構成品のロット番号を把握できることが必要であり、また、出荷時の緊急性が高い中で、いかにその情報を管理するかを検討すべきであるという問題があった。なお、箱の中の構成品は、多い場合は、１００明細近くなる。
【００１９】
また、従来、症例単位で管理する「箱」での出荷業務を行える仕組みがなかったため、出荷時に、箱内の構成品のロット番号を１件１件入力する必要があった。そして、箱の返却後にも構成品を準備する作業には多大な負荷がかかっていた。さらに、システムにおいて、単なるセット品という扱いで管理するのではなく、外側（箱）および内側（構成品）という二重のシリアル管理を行えるデータ構造が必要とされていた。
【００２０】
そこで、本実施形態においては、箱と構成品を各々の目線（箱目線、構成品目線）で管理する仕組みを実装し、出荷時の即時性向上、箱の所在管理、構成品の在庫管理を行うことを可能とした。また、本実施形態においては、施設間の振替の際、箱の振替のみ行えば良いため、所在管理の実務を大幅に効率化することにも成功した。さらに、本実施形態においては、構成品の有効期限や工具の使用期限も付属の情報として取得可能であるため、単にものを管理するというのみではなく、医療業界独自の管理要素（有効期限、使用期限、工具の使用回数等）も把握することが可能となった。さらに、本実施形態においては、単なるセット品として箱を管理するのではなく、箱と構成品とを各々で管理しつつ、両者に紐付がなされるようにデータベースを構築し、箱を管理することで、構成品の情報も連動させることができる。さらに、前述の長期貸出の場合には、補充した構成品を箱の構成データと連動させることにより、箱の再構成の処理に要する労力を軽減した。
【００２１】
言い換えると、本実施形態においては、出荷前に症例単位で出荷セット（箱）を準備できる仕組みをシステム化し、その「箱」単位での数量管理、箱番号管理（箱自体のシリアル管理）、箱内のインプラントのロットおよびシリアル管理、貸出、返却、滅菌処理が出来るようになった。また、一般的なセット品管理では、在庫管理はセット品単位で行うが、これに対して、本実施形態においては、「箱」の仕組みを用いることで、在庫管理単位は単品（構成品）としながらも、症例に応じた「箱」を事前にマスタとして準備することで、「箱」単位で出荷貸出管理を行うことができる。以下、具体的な構成および動作について説明する。
【００２２】
［２．構成］
本実施形態に係る構成品管理装置１００の構成について、図１を用いて説明する。図１は、構成品管理装置１００の構成の一例を示すブロック図である。
【００２３】
構成品管理装置１００は、市販のデスクトップ型パーソナルコンピュータである。なお、構成品管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２４】
構成品管理装置１００は、図１に示すように、制御部１０２と通信インターフェース部１０４と記憶部１０６と入出力インターフェース部１０８と、を備えている。構成品管理装置１００が備えている各部は、任意の通信路を介して通信可能に接続されている。
【００２５】
通信インターフェース部１０４は、ルータ等の通信装置および専用線等の有線または無線の通信回線を介して、構成品管理装置１００をネットワーク３００に通信可能に接続する。通信インターフェース部１０４は、他の装置と通信回線を介してデータを通信する機能を有する。ここで、ネットワーク３００は、構成品管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２６】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４を、表示部としてのモニタ１１４とし、入力装置１１２をキーボード１１２またはマウス１１２として記載する場合がある。
【００２７】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２８】
記憶部１０６は、商品マスタ１０６ａと、箱構成マスタ１０６ｂと、在庫データ１０６ｃと、集合体構成データとしての箱構成データ１０６ｄと、受注データ１０６ｅと、貸出データ１０６ｆと、売上データ１０６ｇと、補充貸出データ１０６ｈと、を備えている。これらのうち、箱構成データ１０６ｄ以外は、任意の構成要素であるが、記憶部１０６に含まれることが好ましい。
【００２９】
ここで、本実施形態における集合体および構成品について説明する。集合体とは、１つ以上の構成品を束ねる概念である。前記集合体および前記構成品は特に制限されないが、例えば、前記集合体が、医療用の箱であり、前記構成品が、前記医療用の箱中に収納される医療品であるという組合せ好ましい。前記箱は、例えば、症例ごとに用意されている箱である。前記医療品は、例えば、各症例の手術において体内に埋め込む材料・原料（インプラント等）、各症例の手術において用いる手術工具等である。以下においては、（前記集合体、前記構成品）の組合せを、（箱、医療品）として説明することがあるが、本実施形態における（前記集合体、前記構成品）の組合せは、これには限定されない。
【００３０】
以下、各データおよび各マスタが含む内容の概略について説明する。各データおよび各マスタが含む項目の詳細は、以下の［３．処理の具体例］で説明する。
【００３１】
商品マスタ１０６ａは、商品（箱としての商品、構成品としての商品の両方を含む）に関する基本情報を記憶する。箱構成マスタ１０６ｂは、箱内の構成内容、すなわち、構成品として何が箱に含まれるかを記憶する。在庫データ１０６ｃは、在庫（箱の在庫、構成品の在庫の両方を含む）に関する情報を記憶する。箱構成データ１０６ｄは、箱に関する情報と構成品に関する情報とを紐づけて記憶する。
【００３２】
受注データ１０６ｅは、病院側から受注した商品に関する情報を記憶する。貸出データ１０６ｆは、病院側に貸し出す商品に関する情報を記憶する。
【００３３】
売上データ１０６ｇは、売上された商品に関する情報を記憶する。補充貸出データ１０６ｈは、箱構成データ１０６ｄに補充する商品に関する情報を記憶する。
【００３４】
制御部１０２は、構成品管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３５】
制御部１０２は、機能概念的に、（１）集合体識別情報、集合体個別識別情報、構成品識別情報および構成品ロット識別情報の少なくとも１つを入力するための入力手段としての入力部１０２ａと、（２）入力された集合体識別情報、前記入力された集合体識別情報と紐づく集合体個別識別情報、構成品識別情報および構成品ロット識別情報を含む貸出データを作成する貸出データ作成手段としての貸出データ作成部１０２ｂと、（３）前記集合体構成データを更新する更新手段としての更新部１０２ｃと、を備えている。これらのうち、貸出データ作成部１０２ｂおよび更新部１０２ｃは、任意の構成要素であるが、制御部１０２に含まれることが好ましい。なお、各部が実行する処理の詳細については、以下の［３．処理の具体例］にて詳細に説明する。
【００３６】
［３．処理の具体例］
以下、本実施形態に係る処理の具体例について、図２〜図７を用いて説明する。図２および図３は、本実施形態に係る処理フローおよびテーブル構造の概略の一例を示す図である。図４は、貸出情報および在庫情報の一例を示す図である。図５および図６は、本実施形態に係る処理フローおよびテーブル構造の詳細の一例を示す図である。図７は、本実施形態に係る処理フローおよびテーブル構造の具体例の一例を示す図である。
【００３７】
本実施形態に係る処理フローおよびテーブル構造の概略を、図２を用いて説明する。図２に示すように、（１）病院への箱貸出に備えて予め、箱構成入力により、箱構成データ１０６ｄが作成され、次に、（２）病院側から貸出依頼がくると、貸出入力として、箱商品コードを入力するのみで、貸出データ１０６ｆが作成される。貸出データ１０６ｆの情報は、在庫データ１０６ｃに反映される。在庫データ１０６ｃは、箱商品および構成品の在庫情報を記憶し、在庫データ１０６ｃ中における倉庫とは、貸出先ごとに設けた疑似倉庫のことである。そして、図２に示すように、（３）貸出売上入力（返却入力）により、売上データ１０６ｇの情報が作成され、更に、売上データ１０６ｇの情報が箱構成データ１０６ｄに反映されることにより、箱構成データ１０６ｄが更新される。前記（３）の処理フローについて、長期貸出の場合、短期貸出の場合、貸出先振替の場合に分けて、図３を用いて、より具体的に以下に説明する。
【００３８】
長期貸出（箱は病院等に貸出したままで、返却されない）の場合、医療機器メーカ等の担当者は、病院側から使用した構成品の連絡を受けると、前記使用した構成品について、売上データ１０６ｇを作成し、これを元に、図３（４）に示すように、前記使用した構成品を補充するための補充貸出データ１０６ｈを作成する。こうして、補充した構成品のロット番号等を、箱構成データ１０６ｄに反映することにより、箱構成データ１０６ｄが更新される。なお、この長期貸出の場合については、後に図５〜図７を用いて、更に具体的に説明する。
【００３９】
短期貸出（箱は病院から返却される）の場合、医療機器メーカ等の担当者は、箱の返却後、箱からなくなっている構成品を、売上が上がった商品として、売上データ１０６ｇを作成する。そして、売上データ１０６ｇにおける売上された商品のリスト＝補充リストとし、前記補充リストを参照して、箱に補充する新たな構成品をロット番号まで指定して、図３（５）に示すように、箱構成データ１０６ｄが更新される。
【００４０】
貸出先振替（Ａ病院から医療機器メーカ担当者へと箱が返却されずに、直接Ｂ病院へと箱が移動する）の場合、図３に示すように、貸出振替先と貸出振替元の貸出データの赤黒を起こし、更に同時に、在庫データの赤黒も起こす。
【００４１】
本実施形態に係る処理フローおよびテーブル構造の詳細を、長期貸出（箱は病院等に貸したままで、返却されない）の場合を例にとり、図５〜図７を用いて説明する。処理フローとしては、図５および図６に示すように、事前のマスタ・データ登録、受注・貸出、補充・再構成の３つの処理に分かれるため、以下、この順で項目立てて説明する。なお、これら３つの処理は、入力部１０２ａにより、前記集合体識別情報、前記集合体個別識別情報、前記構成品識別情報および前記構成品ロット識別情報の少なくとも１つを入力することにより行うことができる。
【００４２】
［３−１．事前のマスタ・データ登録］
まず、事前のマスタ・データ登録について、主に図５および図７を用いて説明する。
【００４３】
図５に示すように、医療機器メーカ等の担当者は、病院に箱を貸し出す前に、前もって、商品マスタ１０６ａ、箱構成マスタ１０６ｂ、在庫データ１０６ｃおよび箱構成データ１０６ｄにおける各項目の内容を登録する。
【００４４】
以下、各マスタおよび各データの詳細について説明するが、各項目の後ろに示すかっこ内の表記は、各項目の具体例のことであり、例えば、集合体識別情報（箱商品コード）と記載した場合には、集合体識別情報の具体例として、箱商品コードがあげられることを意味し、図には、この具体例を記載している。
【００４５】
商品マスタ１０６ａは、図５に示すように、商品識別情報（商品コード）、商品名、箱区分、工具区分等の項目を記憶する。前記商品識別情報は、集合体識別情報（箱商品コード）および構成品識別情報（構成品コード）の両方を包含する。すなわち、前記商品識別情報として、箱商品コードを入力してもよいし、構成品コードを入力してもよい。前記商品名に関しても同様で、箱の商品名を入力してもよいし、構成品の商品名を入力してもよい。前記箱区分の項目には、商品が箱である場合に、「１」を入力する。前記工具品の項目には、商品が構成品である場合に、「１」を入力する。
【００４６】
箱構成マスタ１０６ｂは、図５および図７に示すように、前記集合体識別情報（箱商品コード）、行番号、前記構成品識別情報（構成品コード）、構成品員数等の項目を記憶する。前記集合体識別情報および前記構成品識別情報は、それぞれ、各集合体および各構成品を識別するための情報であり、図７に示すようなコード情報であってもよいし、具体的名称であってもよい。前記構成品員数は、前記構成品の数を意味する。
【００４７】
在庫データ１０６ｃは、図３および図５に示すように、倉庫識別情報（倉庫コード）、前記商品識別情報（商品コード）、集合体個別識別情報（箱商品シリアル番号）、構成品ロット識別情報（構成品ロット番号）、有効期限、数量、前記箱区分、前記工具区分等の項目を記憶する。前記集合体個別識別情報は、シリアル番号のように、ある集合体を一意的に認識するための識別情報のことである。これに対して、前段落で説明した前記集合体識別情報については、個々として異なる集合体同士であっても、同一種類の商品であるならば、同一の集合体識別情報が振られることとなる。前記有効期限は、医療分野である場合、例えば、医療品の使用期限等であり、食品分野である場合、例えば、賞味期限・消費期限等である。
【００４８】
箱構成データ１０６ｄは、図３、図５および図７に示すように、前記構成品についての前記集合体識別情報（箱商品コード）、前記集合体個別識別情報（箱商品シリアル番号）、前記構成品識別情報（構成品コード）および前記構成品ロット識別情報（構成品ロット番号）を紐づけて記憶する。箱構成データ１０６ｄは、これらの項目に加えて、図３、図５および図７に示すように、行番号、構成品数量、構成品有効期限等の項目を記憶していてもよい。ここで、同一の集合体に含まれる前記構成品に対しては、同一の集合体識別情報（箱商品コード）および同一の集合体個別識別情報（箱商品シリアル番号）が付されている。例えば、図７の箱構成データ１０６ｄに示すように、構成品コードがＫ−００１〜Ｋ−００５の５種類の構成品は、すべて同一の集合体（箱）に含まれるため、同一の箱商品コードＨＡ−００１および同一の箱商品シリアル番号ＳＩＲ００１が付されている。このように、箱構成データ１０６ｄにおいては、各集合体についての情報（箱商品コード、箱商品シリアル番号）と、各構成品についての情報（構成品コード、構成品ロット番号、構成品数量、構成品有効期限）と、が紐づけされているため、集合体の情報と構成品の情報とを連動させて把握することができる。前記把握とは、具体的には、ある箱を選択すれば、その箱に含まれる構成品が何であるかに加えて、構成品の最新情報をも迅速に把握することができ、逆に、ある構成品を選択すれば、その構成品がどの箱に含まれているのかを迅速に把握することができる。
【００４９】
［３−２．受注・貸出］
次に、受注・貸出について、図５および図７を用いて説明する。
【００５０】
図５に示すように、医療機器メーカ等の担当者が、病院側から受注および貸出の依頼を受けると、受注データ１０６ｅおよび貸出データ１０６ｆを作成する。
【００５１】
受注データ１０６ｅは、図５に示すように、受注番号、受注行番号、受注日、貸出先、前記構成品識別情報（構成品コード）、前記構成品ロット識別情報（構成品ロット番号）、構成品数量、前記集合体識別情報（箱商品コード）、前記集合体個別識別情報（箱商品シリアル番号）等の項目を記憶する。
【００５２】
貸出データ１０６ｆは、図５および図７に示すように、貸出番号、貸出行番号、貸出日、貸出先、前記構成品識別情報（構成品コード）、前記構成品ロット識別情報（構成品ロット番号）、構成品数量、前記集合体識別情報（箱商品コード）、前記集合体個別識別情報（箱商品シリアル番号）等の項目を記憶する。ここで、前述のとおり、各集合体についての情報と各構成品についての情報とは紐づいているため、貸出データ作成部１０２ｂは、入力された集合体識別情報（箱商品コード）、前記入力された集合体識別情報（箱商品コード）と紐づく集合体個別識別情報（箱商品シリアル番号）、構成品識別情報（構成品コード）および構成品ロット識別情報（構成品ロット番号）を含む貸出データ１０６ｆを作成することができる。言い換えると、箱商品コードを入力するのみで、図７の貸出データ１０６ｆ示すような、箱商品コード、箱商品シリアル番号、構成品コードおよび構成品ロット番号のすべてが含まれるデータが自動作成されるといえる。このように、本実施形態に係る構成品管理装置１００によれば、貸出データ作成時に行う処理は、前記集合体識別情報（箱商品コード）の選択のみであるため、非常に効率よくかつミスなく貸出データを作成することができる。なお、貸出データ１０６ｆから、貸出伝票を作成してもよい。
【００５３】
ここで、図７の貸出データ１０６ｆを参照しつつ、病院側に貸し出す構成品について説明する。図７の貸出データ１０６ｆに示すように、構成品コードＫ−００１、Ｋ−００２、Ｋ−００３の構成品を１個ずつ（構成品数量が１）、構成品コードＫ−００４、Ｋ−００５の構成品を２個ずつ（構成品数量が２）、の計７個の構成品を貸し出すこととなる。
【００５４】
［３−３．補充・再構成］
最後に、補充・再構成について、図６および図７を用いて説明する。
【００５５】
図６に示すように、長期貸出において、病院側からどの構成品を使用したかの連絡がくると、医療機器メーカ等の担当者は、その連絡を元にして、売上データ１０６ｇおよび補充貸出データ１０６ｈの作成を行い、また、箱構成データ１０６ｄが更新される。
【００５６】
売上データ１０６ｇは、図６および図７に示すように、売上番号、売上行番号、売上日、貸出先、前記構成品識別情報（構成品コード）、前記構成品ロット識別情報（構成品ロット番号）、売上数、返却数、貸出番号、前記集合体識別情報（箱商品コード）、前記集合体個別識別情報（箱商品シリアル番号）等の項目を記憶する。図７の売上データ１０６ｇの場合、構成品コードＫ−００２の構成品を１個（売上数が１）、構成品コードＫ−００４の構成品を１個（売上数が１）、の計２個の構成品が使用されたとの連絡が病院側より来て、売上として入力することとなる。
【００５７】
なお、売上された構成品のリストのデータ（売上データ１０６ｇ）を、箱構成情報（箱構成データ１０６ｄ）とリンクさせれば、その箱の補充に必要な商品、数量を、箱構成リストとしてアウトプットすることができる。また、売上データ１０６ｇの入力後に、売上された構成品の情報を初期表示すれば、次の貸出データ１０６ｈの作成をそのまま（容易に）行うことができる。
【００５８】
補充貸出データ１０６ｈは、図６および図７に示すように、貸出番号、貸出行番号、貸出日、貸出先、前記構成品識別情報（構成品コード）、前記構成品ロット識別情報（構成品ロット番号）、構成品数量、元貸出番号、前記集合体識別情報（箱商品コード）、前記集合体個別識別情報（箱商品シリアル番号）等の項目を記憶する。図７の補充貸出データ１０６ｈの場合、使用された２つの構成品（構成品コードがＫ−００２で、構成品ロット番号がＬＴ−０１５の構成品と、構成品コードがＫ−００４で、構成品ロット番号がＬＴ−００２の構成品）それぞれに関して、ロット番号を１つ新しいものに差し替えた構成品（構成品コードがＫ−００２で、構成品ロット番号がＬＴ−０１６の構成品と、構成品コードがＫ−００４で、構成品ロット番号がＬＴ−００３の構成品）が、箱構成データ１０６ｄに補充される２つの構成品となる。
【００５９】
前記補充される２つの構成品が、箱構成データ１０６ｄに補充されることにより、更新部１０２ｃは、箱構成データ１０６ｄを更新する。ここで、前記補充される２つの構成品は、以下のようにして、元の箱である箱商品シリアル番号ＳＩＲ００１の箱と紐づいて補充される。すなわち、補充貸出データ１０６ｈにおける構成品コード００２の構成品を例にとって説明すると、補充貸出データ１０６ｈの構成品コードＫ−００２−補充貸出データ１０６ｈの元貸出番号ＫＡＳ０００１−貸出データ１０６ｆの貸出番号ＫＡＳ０００１−貸出データ１０６ｆの箱商品シリアル番号ＳＩＲ００１という様に紐づくことによって、補充貸出データ１０６ｈにおける構成品コードＫ−００２の構成品は、箱商品シリアル番号ＳＩＲ００１の箱と紐づいて補充される。このようにして、図７の箱構成データ１０６ｄ（更新後）に示すように、行番号２の構成品と、行番号５の構成品と、が補充される。言い換えると、図７の箱構成データ１０６ｄの行番号２の構成品（ＬＴ−０１５）が、図７の箱構成データ１０６ｄ（更新後）の行番号２の構成品（ＬＴ−０１６）という最新ロットに洗い替えられ、また、図７の箱構成データ１０６ｄの行番号４の構成品（ＬＴ−００２）の２つのうちの１つが、図７の箱構成データ１０６ｄ（更新後）の行番号５の構成品（ＬＴ−００３）という最新ロットに洗い替えられたということもできる。
【００６０】
なお、箱構成データ１０６ｄにおける更新として、最新ロットへの洗い替えではなく、構成品自体の追加（図７の箱構成データ１０６ｄ（更新後）の場合、構成品コードＫ−００６の構成品を追加）をしたい場合、医療機器メーカ等の担当者は、手動で、箱構成データ１０６ｄの更新をして構成品自体の追加を行うことができる。
【００６１】
このように、本実施形態に係る構成品管理装置１００においては、前述のように、各集合体についての情報（箱商品コード、箱商品シリアル番号）と、各構成品についての情報（構成品コード、構成品ロット番号、構成品数量、構成品有効期限）と、が紐づけされているため、以下のような効果が生じる。
【００６２】
一つ目に、箱における構成品の情報を、実務処理と併せて更新していくことができる。このため、大量に存在する構成品のロット番号の管理および在庫管理の処理を軽減することができる。
【００６３】
二つ目に、箱を病院に長期貸出している場合において、箱内の構成品の最新情報をロット番号まで含めて把握することができる。この把握は、例えば、医療機器メーカ等の担当者等が、自社の商品を管理するために在庫照会をする場合においても役に立つし、または、長期貸出している病院に対して、棚卸時等に、貸出している構成品の最新情報一覧を示す場合においても役に立つ。
【００６４】
三つ目に、箱情報の照会をすれば、箱にはどの構成品が含まれているかを把握でき、逆に、構成品の情報を照会すれば、前記構成品はどの箱に含まれているかを把握できる。すなわち、箱商品と構成品のどちらの目線でも、商品の状態を把握することができる。更に、前記構成品の情報を照会すれば、前記構成品が箱に含まれていない単独の状態なのか、または、箱に含まれている状態なのかを把握することができる。
【００６５】
四つ目に、例えば、Ａ病院からＢ病院への箱の移動の際（貸出先振替の際）には、一旦Ａ病院から箱を返却してもらい、その後、Ｂ病院に貸出する必要があった。これに対して、本実施形態に係る構成品管理装置１００は、各集合体についての情報と各構成品についての情報とが紐づけされているため、貸出間の箱の移動（貸出先変更）を１アクションで処理できるため、医療機器メーカ等の担当者が行う処理が軽減し、管理ミスも防止することができる。
【００６６】
五つ目に、本実施形態に係る構成品管理装置１００は、構成品のメインの情報（構成品コード、構成品ロット番号）だけではなく、構成品の付属情報（構成品数量、構成品有効期限、貸出日等）も併せて把握できるため、構成品の有効期限管理、返却期限管理、滞留管理等を効率よく行うことができる。また、前記構成品が工具である場合には、工具の使用回数管理も行うことができる。
【００６７】
六つ目に、図４に示すように、貸出一覧表、貸出確認書、貸出伝票、在庫一覧表の作成や、在庫照会を行うことができる。
【００６８】
［４．他の実施形態］
本発明は、上述した実施形態以外にも、特許請求の範囲に記載した技術的思想の範囲内において種々の異なる実施形態にて実施されてよいものである。
【００６９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７０】
また、本明細書中や図面中で示した処理手順、制御手順、具体的名称、各処理の登録データや検索条件等のパラメータを含む情報、画面例、データベース構成については、特記する場合を除いて任意に変更することができる。
【００７１】
また、構成品管理装置１００に関して、図示の各構成要素は機能概念的なものであり、必ずしも物理的に図示の如く構成されていることを要しない。
【００７２】
例えば、構成品管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて構成品管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７３】
また、このコンピュータプログラムは、構成品管理装置１００に対して任意のネットワークを介して接続されたアプリケーションプログラムサーバに記憶されていてもよく、必要に応じてその全部または一部をダウンロードすることも可能である。
【００７４】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００７５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７６】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７７】
また、構成品管理装置１００は、既知のパーソナルコンピュータまたはワークステーション等の情報処理装置として構成してもよく、また、任意の周辺装置が接続された当該情報処理装置として構成してもよい。また、構成品管理装置１００は、当該装置に本実施形態で説明した処理を実現させるソフトウェア（プログラムまたはデータ等を含む）を実装することにより実現してもよい。
【００７８】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７９】
本発明は、例えば、集合体（外側）と構成品（内側）共にシリアル管理が必要な場合であり、かつ、前記構成品の戻りがある業界において特に有用である。特に、セット貸出のある業界においては、極めて有用である。
【符号の説明】
【００８０】
１００  構成品管理装置
１０２  制御部
１０２ａ  入力部
１０２ｂ  貸出データ作成部
１０２ｃ  更新部
１０４  通信インターフェース部
１０６  記憶部
１０６ａ  商品マスタ
１０６ｂ  箱構成マスタ
１０６ｃ  在庫データ
１０６ｄ  箱構成データ
１０６ｅ  受注データ
１０６ｆ  貸出データ
１０６ｇ  売上データ
１０６ｈ  補充貸出データ
１０８  入出力インターフェース部
１１２  入力装置
１１４  出力装置
２００  サーバ
３００  ネットワーク
【図１】
2018116567.tif 000003
【図２】
2018116567.tif 000004
【図３】
2018116567.tif 000005
【図４】
2018116567.tif 000006
【図５】
2018116567.tif 000007
【図６】
2018116567.tif 000008
【図７】
2018116567.tif 000009